(57)【特許請求の範囲】
【請求項１】
対象ホルダ（６）をそれぞれ配した複数の並置の容器（４，５）を有する、組織検査用試料（１７）を処理するための自動埋設装置（１）であって、対象ホルダ（６）が、容器（４，５）上方に設けてある回転板（７）に固定され、回転板（７）が、中央の案内ロッド（８）に結合され、案内ロッド（８）が、回転板（７）の回転方向に垂直に可動に構成され、少なくとも１つの容器（４、５）内に真空を形成する装置（９）を有する形式のものにおいて、
真空装置（９）が、自動埋設装置（１）に組込んであることを特徴とする自動埋設装置（１）。
【請求項２】
真空装置（９）が、回転板（７）に設けてあることを特徴とする請求項１の自動埋設装置（１）。
【請求項３】
１つまたは複数の対象ホルダ（４，５）が、蓋（１０）を備えており、上記蓋（１０）が、関連の容器（４，５）に適合した環状パッキング（１１）を有することを特徴とする請求項１又は２の自動埋設装置（１）。
【請求項４】
蓋（１０）が、真空装置（９）への接続口（１２）を有することを特徴とする自動埋設装置（１）。
【請求項５】
回転板（７）には、真空装置（９）のための弁（１３）が設けてあることを特徴とする請求項１〜４の１つに記載の自動埋設装置（１）。
【請求項６】
案内ロッド（８）は、内部が中空に構成され、この中空スペースには、真空装置（９）のための電線ケーブル（１４）が設けてあることを特徴とする請求項１〜５の１つに記載の自動埋設装置（１）。
【請求項７】
案内ロッド（８）には、半円形に構成され入れ子状に配置された２つのハウジングシェル半部（１５ａ，１５ｂ）が回転軸受（１６）を介して設けてあることを特徴とする請求項１〜６の１つに記載の自動埋設装置（１）。
【請求項８】
自動埋設装置（１）が、一体の吸引装置（１７）およびこの吸引装置に結合されたフィルタ装置（１８）を有することを特徴とする請求項７の自動埋設装置（１）。
【発明の詳細な説明】
【０００１】
【発明の属する技術分野】
本発明は、組織検査用試料を処理するための自動埋設装置の駆動装置に関し、特に請求項１の前置部に記載の、特にプレパラート作製のための、自動埋設装置に関する。より詳しくは、本発明は、対象ホルダをそれぞれ配した複数の並置の容器を有する、組織検査用試料を処理するための自動埋設装置であって、対象ホルダが、容器上方に設けてある回転板に固定され、回転板が、中央の案内ロッドに結合され、案内ロッドが、回転板の回転方向に垂直に可動に構成され、少なくとも１つの容器内に真空を形成する装置を有する形式の自動埋設装置に関する。
【０００２】
【従来の技術】
組織検査の組織試料の作製は、試料の複数の化学的処理および以降のパラフィン中への埋込によって行う。化学的処理の場合、試料から、まず、含まれる水分を抽出し、安定剤、染料などと置換える。次いで、試料をパラフィン中に埋込む。かくして、パラフィンブロックをミクロトームの受けに安定に保持できる。順次に推移する各種の操作工程のために、各種処理段に試料を自動的に移送する、いわゆる、自動埋設装置が開発された。
【０００３】
公知の自動埋設装置は、刊行物ユングヒストキネッテ“Ｊｕｎｇ  ＨＩＳＴＯＫＩＮＥＴＴＥ，Ｌｅｉｃａ社，リスト６００８／ＮＤ／１０／９４，Ｏｃｔ．１９９４”に記載されている。この自動埋設装置の場合、円形に配置された複数の化学品容器および加熱可能なワックス容器が設けてある。容器は、上方へ開放している。容器の上方には、複数の試料受けを含み案内ロッドに固定された回転自在のディスクが設けてある。ディスクまたは案内ロッドの下降および回転によって、試料受けを当該の容器に導入できる。プログラミングされた時間インターバルの経過後、試料受けを含むディスクを再び上昇し、所定量だけ回転し、再び次の容器内に下降させる。
【０００４】
【発明が解決しようとしている課題】
所定の加工工程において、容器内に真空を形成する必要がある。ヒストキネッテの場合、このような真空を形成するには装置外に設けた別個の装置に依拠しなければならない。しかしながら、この補助装置によって、装置の取扱いが困難となる。更に、多くの場合、試料の化学的処理の際には有毒物質が使用される。この場合、特に、次の容器への試料の切換時に、雰囲気に毒性負荷が加えられる。装置の完全な密閉は、外部に設けた真空装置のために不可能である。
【０００５】
従って、本発明の課題は、真空装置と関連する自動埋設装置の取扱いが改善されるよう、自動埋設装置を改良することにある。
【０００６】
【課題を解決するための手段】
この課題は、請求項１の特徴記載部分に開示の特徴によって解決される。即ち、本発明の自動埋設装置は、冒頭に記載した形式のものにおいて、真空装置が、自動埋設装置に組込んであることを特徴とする。
【０００７】
本発明の別の有利な実施形態は、従属請求項の対象である。なお、各請求項に付記の図面参照符号は、専ら理解を助けるためのものであり、図示の態様へ限定することを意図しない。
【０００８】
特に、自動埋設装置の回転自在な構造部材に真空装置を配設することによって、有利なことには、自動的に作動する自動埋設装置の機能が損なわれることはない。更に、複数の対象ホルダを唯一つの真空装置を介して制御できる。
【０００９】
【発明の実施の形態】
真空装置は、回転板に設けてあることが好ましい。１つまたは複数の対象ホルダが、蓋を備えており、上記蓋が、関連の容器に適合した環状パッキングを有することが好ましい。蓋が、真空装置への接続口を有することが好ましい。
【００１０】
回転板には、真空装置のための弁が設けてあることをが好ましい。案内ロッドは、内部が中空に構成され、この中空スペースには、真空装置のための電線ケーブルが設けてあることが好ましい。
【００１１】
案内ロッドには、半円形に構成され入れ子状に配置された２つのハウジングシェル半部が回転軸受を介して設けてあることが好ましい。自動埋設装置が、一体の吸引装置およびこの吸引装置に結合されたフィルタ装置を有することが好ましい。
【００１２】
本発明のさらなる実施形態の場合、回転自在に設けた２つのハウジングシェル半部によって自動埋設装置を閉鎖する。この閉鎖によって、一体の吸引装置および接続されたフィルタ装置は、効果的に作動でき、即ち、使用する化学物質および／または試料による雰囲気の汚染が排除される。
【００１３】
回転自在な入れ子状態のハウジングシェル半部は、試料切換または当該容器の切換のために摺動させることができる。かくして、自動埋設装置の取扱性が有利な態様で保証される。
【００１４】
【実施例】
以下、略図を参照して本発明の実施例を詳細に説明する。
【００１５】
図１に、ハウジング底部２４によって相互に分離して構成されたハウジング下半部２およびハウジング上半部３を有する自動埋設装置１の断面図を示した。ハウジング下半部２には、案内ロッド８の歯付ベルト２１を含む駆動装置２０が設けてある。駆動電動機２０を介して歯付ベルト２１を駆動して案内ロッド８を二重矢印の方向へ上昇し、再び下降することができる。ハウジング下半部２には、ハウジング上半部３に設けた吸引装置１７に接続管路１９を介して接続されたフィルタ装置１８が設けてある。
【００１６】
底部２４には、複数の並置の化学品容器４および複数のパラフイン容器５が設けてある。案内ロッド８の上半部範囲には、当該容器４，５に導入するため試料１７を含む複数の対象受け６を担持する回転板７が固定されている。対象受け６は、それぞれ、環状パッキング１１をそれぞれ有する蓋１０を備えている。当該容器４，５に対象受け６を導入した後、上記対象受けは、パッキングによって気密に閉鎖される。閉鎖された容器４内に真空を形成するため、真空ホース２３および弁１３を介して蓋１０の接続１２に結合された真空ポンプ９が回転板７に設けてある。真空ポンプ９は、案内ロッド８の内部に延びる電線ケーブル１４を介して給電される。電線ケーブル１４は、ハウジング下半部２内で、電源（図示してない）に接続されたスリップリング２５に達している。
【００１７】
弁１３または真空ポンプ９には、複数の対象ホルダ６を結合することもできる。
【００１８】
ハウジング上半部３には、更に、案内ロッド８のための回転装置２２が設けてある。案内ロッド８は、下降時、回転装置２２によって所定の角度量だけ回転され、かくして、隣接の容器４；５への対象受け６の切換を行う。
【００１９】
自動埋設装置１の閉鎖（密閉）のため、案内ロッド８の上端には、第１ハウジングシェル半部１５ａおよび第２ハウジングシェル半部１５ｂが設けてある。ハウジングシェル半部１５ａ，１５ｂは、互いに入れ子状に配置され、それぞれ回転軸受１６を介して可動なよう構成されている。
【００２０】
双方のハウジングシェル半部１５ａ，１５ｂは、回転による自動埋設装置１の運転中、上半部３が完全に閉鎖されるよう配置される。かくして、吸引装置１７およびフィルタ装置１８の効果的な利用も可能となる。
【００２１】
図２に、円形に並置した容器４，５を含む底部２４の平面図を示した。同図から明らかな如く、自動埋設装置１には、複数の化学品容器４および複数のパラフイン容器５が設けてある。第１ハウジングシェル半部１５ａおよび第２ハウジングシェル半部１５ｂは、自動埋設装置１の完全な閉鎖が行われるよう、相対的に摺動可能に配される。これにより、試料、化学品容器、パラフィン容器等の出入れのために上半分を開閉するとともに、閉鎖時の密閉が可能である。
【００２２】
【発明の効果】
本発明により、化学的処理剤の装置外への漏出のおそれがなく、かつ、複雑な操作、装置の複雑化なしで、自動埋設装置の真空処理が確実かつ容易に、実現される。
【００２３】
従属請求項の特徴によってさらに、夫々付加的な具体的効果が達成される。
【図面の簡単な説明】
【図１】自動埋設装置の断面図である。
【図２】円形に並置された容器の平面図である。
【符号の説明】
１  自動埋設装置
２  ハウジング下半部
３  ハウジング上半部
４  化学品容器
５  パラフィン容器
６  対象容器
７  回転板
８  案内ロッド
９  真空ポンプ
１０  ６の蓋
１１  １０のパッキング
１２  真空装置の接続
１３  弁
１４  電線ケーブル
１５ａ  第１ハウジングシェル半部
１５ｂ  第２ハウジングシェル半部
１６  回転軸受
１７  吸引装置
１８  フィルタ装置
１９  １７，１８の接続管路
２０  ８の駆動装置
２１  駆動歯付ベルト
２２  回転装置
２３  真空ホース
２４  底部
２５  スリップリング
【図１】
0003905198.tif 000002
【図２】
0003905198.tif 000003